(57)【要約】  【課題】バックアップするＬＡＮの規模に応じたバックアップ装置により、当該ＬＡＮ内での通信をバックアップすることのできる技術を提供すること。  【解決手段】  ＩＰ−ＰＢＸ１１０で使用されている変換情報テーブルを、バックアップ装置１２０、１２０Ｂにおいてダウンロードし、バックアップ装置１２０、１２０Ｂでは、ＩＰ−ＰＢＸ１１０からダウンロードした変換情報テーブルにおいて、ＩＰ−ＰＢＸ１１０で使用するインターフェースを特定する情報を、バックアップ装置１２０、１２０Ｂで使用するインターフェースを特定する情報に変更して、呼制御を行う。【選択図】図１
2008136017.tif 000002
【特許請求の範囲】
【請求項１】
接続先のＩＰ端末毎に、電話番号、アドレス情報、および、使用するインターフェースを特定する情報、が格納されている変換情報を記憶する第一の記憶部と、
前記ＩＰ端末から接続先の電話番号を特定した要求に応じて、前記変換情報からアドレス情報と使用するインターフェースを特定し、特定したインターフェースを介して、特定したアドレス情報に対応するＩＰ端末に前記要求を送信する呼制御を行う第一の制御部と、
を有する交換機のバックアップ装置であって、
前記交換機から取得した前記変換情報を記憶する第二の記憶部と、
前記変換情報において、使用するインターフェースを特定する情報を自装置で使用するインターフェースを特定する情報に変更して、呼制御を行う第二の制御部と、
を備えることを特徴とするバックアップ装置。
【請求項２】
請求項１に記載のバックアップ装置であって、
前記第二の記憶部には、
電話番号を特定する情報、および、自装置で使用するインターフェースを特定する情報、が格納されている書き換え情報が記憶されており、
前記第二の制御部は、
前記書き換え情報で特定される電話番号に対応する前記変換情報における使用するインターフェースを特定する情報を、前記書き換え情報で特定されている自装置で使用するインターフェースを特定する情報に変更すること、
を特徴とするバックアップ装置。
【請求項３】
請求項２に記載のバックアップ装置であって、
前記書き換え情報は、前記交換機の記憶部にバックアップ装置毎に記憶されており、
前記交換機から受信することができるようにされていること、
を特徴とするバックアップ装置。
【請求項４】
請求項１乃至３の何れか一項に記載のバックアップ装置であって
前記第二の制御部は、前記交換機との間の通信に障害が生じた場合に呼制御を行うようにされていること、
を特徴とするバックアップ装置。
【請求項５】
請求項１乃至４の何れか一項に記載のバックアップ装置であって、
前記交換機に接続する複数のＩＰ端末のうち、予め定められた数のＩＰ端末が接続可能にされており、
前記交換機に設けられているインターフェースよりも少ない数のインターフェースが設けられていること、
を特徴とするバックアップ装置。
【請求項６】
交換機、および、バックアップ装置を備える通信システムであって、
前記交換機は、
接続先毎に、電話番号、アドレス情報、および、使用するインターフェースを特定する情報、が格納されている変換情報を記憶する第一の記憶部と、
前記ＩＰ端末から接続先の電話番号を特定した要求に応じて、前記変換情報からアドレス情報と使用するインターフェースを特定し、特定したインターフェースを介して、特定したアドレス情報に対応するＩＰ端末に前記要求を送信する呼制御を行う第一の制御部と、を備え、
前記バックアップ装置は、
前記交換機から取得した前記変換情報を記憶する第二の記憶部と、
前記変換情報において、使用するインターフェースを特定する情報を自装置で使用するインターフェースを特定する情報に変更して、呼制御を行う第二の制御部と、
を備えること、
を特徴とする通信システム。
【請求項７】
請求項６に記載の通信システムであって、
前記第二の記憶部には、
電話番号を特定する情報、および、自装置で使用するインターフェースを特定する情報、が格納されている書き換え情報が記憶されており、
前記第二の制御部は、
前記書き換え情報で特定される電話番号に対応する前記変換情報における使用するインターフェースを特定する情報を、前記書き換え情報で特定されている自装置で使用するインターフェースを特定する情報に変更すること、
を特徴とする通信システム。
【請求項８】
請求項７に記載の通信システムであって、
前記書き換え情報は、前記交換機の記憶部にバックアップ装置毎に記憶されており、
前記バックアップ装置は、前記交換機から前記書き換え情報を受信することができるようにされていること、
を特徴とする通信システム。
【請求項９】
請求項６乃至８の何れか一項に記載の通信システムであって、
前記第二の制御部は、前記交換機との間の通信に障害が生じた場合に呼制御を行うようにされていること、
を特徴とする通信システム。
【請求項１０】
請求項６乃至９の何れか一項に記載の通信システムであって、
前記バックアップ装置には、前記交換機に接続する複数のＩＰ端末のうち、予め定められた数のＩＰ端末が接続可能にされており、
前記交換機に設けられているインターフェースよりも少ない数のインターフェースが前記バックアップ装置に設けられていること、
を特徴とする通信システム。
【請求項１１】
接続先のＩＰ端末毎に、電話番号、アドレス情報、および、使用するインターフェースを特定する情報、が格納されている変換情報を記憶する第一の記憶部と、
前記ＩＰ端末から接続先の電話番号を特定した要求に応じて、前記変換情報からアドレス情報と使用するインターフェースを特定し、特定したインターフェースを介して、特定したアドレス情報に対応するＩＰ端末に前記要求を送信する呼制御を行う第一の制御部と、
を有する交換機のバックアップ装置における呼制御方法であって、
前記交換機から取得した前記変換情報を記憶する過程と、
前記変換情報において、使用するインターフェースを特定する情報を自装置で使用するインターフェースを特定する情報に変更する過程と、
変更された全期間情報を使用して呼制御を行う過程と、
を備えることを特徴とする呼制御方法。
【発明の詳細な説明】
【技術分野】
【０００１】
本発明は、ＩＰ端末で通話を行う際に使用される交換機をバックアップする技術に関する。
【背景技術】
【０００２】
複数のＬＡＮ（Local Area Network）とＷＡＮ（Wide Area Network）とにより構成されるネットワークにおいて、当該ネットワーク内に接続されているＩＰ端末からＬＡＮ又はＷＡＮを介して、当該ネットワーク内に接続されているＩＰ−ＰＢＸ（Internet Protocol−Private Branch eXchange）に接続することで、複数のＬＡＮに接続されているＩＰ端末間における通信を一つのＩＰ−ＰＢＸで制御することができるようになっている。
【０００３】
そして、ＩＰ−ＰＢＸへの通信に障害が生じた場合に、ＩＰ端末間での通信を可能にするバックアップ技術として、特許文献１に記載の技術がある。
【０００４】
特許文献１に記載の技術は、ＩＰ−ＰＢＸが接続されているＬＡＮとは異なるＬＡＮにバックアップ装置を設置しておき、このバックアップ装置が、予め定期的にダウンロードしておいたＩＰ−ＰＢＸの変換情報を用いて通信の制御を行うことで、バックアップ装置が設置されたＬＡＮ内での通信が可能になるようにしている。
【０００５】
【特許文献１】特開２００５−６１２１号公報
【発明の開示】
【発明が解決しようとする課題】
【０００６】
特許文献１に記載の技術では、ＩＰ−ＰＢＸで用いている変換情報をバックアップ装置においてもそのまま用いるようにされているため、バックアップ装置はＩＰ−ＰＢＸと同様の構成を有していなければならない。
【０００７】
そのため、バックアップ装置を設けるＬＡＮが比較的小規模な場合には、バックアップ装置で通信を可能にするＩＰ端末の数に対して、設置するバックアップ装置の規模が大きくなり、バックアップ装置での処理能力に余剰が生ずる。従って、バックアップ装置を設けるＬＡＮが小規模、かつ、多数の場合には、処理能力に余剰のあるバックアップ装置を多数設けなければならず、無駄が多い。
【０００８】
そこで、本発明は、バックアップするＬＡＮの規模に応じたバックアップ装置により、当該ＬＡＮ内での通信をバックアップすることのできる技術を提供することを目的とする。
【課題を解決するための手段】
【０００９】
以上の課題を解決するため、本発明は、バックアップ装置において、交換機で使用されている変換情報において、交換機で使用するインターフェースを特定する情報を自装置で使用するインターフェースを特定する情報に変更して、呼制御を行うようにする。
【００１０】
例えば、本発明は、接続先のＩＰ端末毎に、電話番号、アドレス情報、および、使用するインターフェースを特定する情報、が格納されている変換情報を記憶する第一の記憶部と、前記ＩＰ端末から接続先の電話番号を特定した要求に応じて、前記変換情報からアドレス情報と使用するインターフェースを特定し、特定したインターフェースを介して、特定したアドレス情報に対応するＩＰ端末に前記要求を送信する呼制御を行う第一の制御部と、を有する交換機のバックアップ装置であって、前記交換機から取得した前記変換情報を記憶する第二の記憶部と、前記変換情報において、使用するインターフェースを特定する情報を自装置で使用するインターフェースを特定する情報に変更して、呼制御を行う第二の制御部と、を備えることを特徴とする。
【発明の効果】
【００１１】
以上のように、本発明によれば、バックアップするＬＡＮの規模に応じたバックアップ装置により、当該ＬＡＮ内での通信をバックアップすることができる。
【発明を実施するための最良の形態】
【００１２】
図１は、本発明の一実施形態である通信システム１００の概略図である。
【００１３】
図示するように、通信システム１００は、ＩＰ−ＰＢＸ１１０と、バックアップ装置１２０Ａ、１２０Ｂと、ＩＰ端末１３０Ａ〜１３０Ｆと、を備えている。
【００１４】
そして、ＩＰ−ＰＢＸ１１０、および、ＩＰ端末１３０Ａ、１３０Ｂは、ハブ１４０Ａを介して第一のＬＡＮ１４０Ａに接続されており、バックアップ装置１２０Ａ、および、ＩＰ端末１３０Ｃ、１３０Ｄは、ハブ１４０Ｂを介して第二のＬＡＮ１４０Ｂに接続されており、バックアップ装置１２０Ｂ、および、ＩＰ端末１３０Ｅ、１３０Ｆは、ハブ１４０Ｃを介して第三のＬＡＮ１４０Ｃに接続されている。
【００１５】
また、これらのＬＡＮに接続されている装置は、ＷＡＮ１６０を介して、相互に情報の送受信を行うことができるようにされている。
【００１６】
以上のように構成されている通信システム１００では、ＩＰ端末１３０Ａ〜１３０Ｆは、ＩＰ−ＰＢＸ１１０に接続して呼制御を受けることにより、他のＩＰ端末１３０Ａ〜１３０Ｆとの間で音声による通信を行うことができるようにされている。
【００１７】
図２は、ＩＰ−ＰＢＸ１１０の概略図である。
【００１８】
図示するように、ＩＰ−ＰＢＸ１１０は、記憶部１１１と、制御部１１２と、スイッチ部（以下、ＳＷ部という）１１３と、ＩＦ制御部１１４Ａ、１１４Ｂ、１１４Ｃと、リモート保守用ＩＦ制御部１１５と、を備えている。
【００１９】
記憶部１１１は、変換情報記憶部１１１ａと、保守情報記憶部１１１ｂと、を備えている。
【００２０】
変換情報記憶部１１１ａには、通信システム１００に接続されているＩＰ端末１３０Ａ〜１３０Ｆで呼制御を行うためのアドレスを特定する情報と、内線を特定する情報と、使用するインターフェースを特定する情報と、が記憶される。
【００２１】
例えば、本実施形態においては、変換情報記憶部１１１ａには、図３（変換情報テーブル１１１ｃの概略図）に示すような変換情報テーブル１１１ｃが記憶される。
【００２２】
図示するように、変換情報テーブル１１１ｃは、拠点ＩＤ欄１１１ｄと、内線番号欄１１１ｅと、ＩＰアドレス欄１１１ｆと、ＩＦＩＤ欄１１１ｇと、を備えている。
【００２３】
拠点ＩＤ欄１１１ｄには、ＩＰ端末１３０Ａ〜１３０Ｆ又はバックアップ装置１２０Ａ、１２０Ｂが接続されるＬＡＮ毎に、当該ＬＡＮを一意に識別するための識別情報が格納される。ここで、本実施形態においては、第一のＬＡＮを拠点Ａ、第二のＬＡＮを拠点Ｂ、第三のＬＡＮを拠点Ｃとしているが、このような態様に限定されない。
【００２４】
内線番号欄１１１ｅには、各拠点に接続されるＩＰ端末１３０Ａ〜１３０Ｆ毎の内線番号が格納される。
【００２５】
ＩＰアドレス欄１１１ｆには、内線番号欄１１１ｅに格納される内線番号により特定されるＩＰ端末１３０Ａ〜１３０ＦのＩＰアドレスが格納される。
【００２６】
例えば、本実施形態においては、ＩＰ端末１３０Ａ〜１３０Ｆ毎にグローバルＩＰアドレスが割り当てられており、本欄には、当該グローバルＩＰアドレスが格納される。
【００２７】
なお、ＩＰアドレス欄１１１ｆへのＩＰアドレスの格納は、後述するように、ＩＰ端末１３０Ａ〜１３０ＦからＩＰ−ＰＢＸ１１０へのログインが実行された際に行われる。
【００２８】
ＩＦＩＤ欄１１１ｇには、内線番号欄１１１ｅに格納される内線番号により特定されるＩＰ端末１３０Ａ〜１３０ＦがＩＰ−ＰＢＸ１１０に接続する際に使用するＩＦ制御部１１４Ａを特定するための情報が格納される。
【００２９】
ここで、本実施形態においては、ＩＰ−ＰＢＸ１１０での効率的な呼制御を行うために、各々のＩＦ制御部１１４Ａ、１１４Ｂ、１１４Ｃに接続（収容）することができるＩＰ端末１３０Ａ〜１３０Ｆの数が制限されている。そして、本実施形態においては、各々のＩＦ制御部１１４Ａ、１１４Ｂ、１１４ＣにグローバルＩＰアドレスが割り当てられており、ＩＰ端末１３０Ａ〜１３０Ｆ毎に、送信先とするグローバルＩＰアドレスが予め定められている。
【００３０】
図２に戻り、保守情報記憶部１１１ｂには、バックアップ装置１２０Ａ、１２０Ｂ毎に、各バックアップ装置１２０Ａ、１２０ＢでＩＰ端末１３０Ａ〜１３０Ｆを接続するＩＦ制御部１２４Ａ、１２４Ｂを内線番号毎に特定する情報と、各バックアップ装置１２０Ａ、１２０Ｂに接続するためのＩＰアドレスを特定する情報と、が記憶される。
【００３１】
例えば、本実施形態においては、図４（書き換えテーブル１１１ｉの概略図）に示すような書き換えテーブル１１１ｉと、図５（バックアップ装置テーブル１１１ｌの概略図）に示すようなバックアップ装置テーブル１１１ｌと、が記憶される。
【００３２】
図４に示すように、書き換えテーブル１１１ｉは、内線番号欄１１１ｊと、ＩＦＩＤ欄１１１ｋと、を備えており、各々のバックアップ装置１２０Ａ、１２０Ｂ毎に生成されて記憶される。
【００３３】
内線番号欄１１１ｊには、各バックアップ装置１２０Ａ、１２０Ｂが接続されているＬＡＮに接続されているＩＰ端末１３０Ａ〜１３０Ｆの内線番号が格納される。
【００３４】
ＩＦＩＤ欄１１１ｋには、内線番号欄１１１ｊで特定されるＩＰ端末１３０Ａ〜１３０Ｆが、当該ＩＰ端末１３０Ａ〜１３０Ｆが接続されているＬＡＮに設置されているバックアップ装置１２０Ａ、１２０Ｂに接続する際のＩＦ制御部１２４Ａ、１２４Ｂを特定する情報が格納されている。
【００３５】
なお、本実施形態においては、バックアップ装置１２０Ａ、１２０ＢはＩＰ−ＰＢＸ１１０のＩＦ制御部１１４Ａ〜１１４Ｃよりも少ない数のＩＦ制御部１２４Ａ、１２４Ｂしか備えないことにより、各拠点の規模に応じたバックアップ装置１２０Ａ、１２０Ｂを使用することができるようにされている。従って、ＩＰ−ＰＢＸ１１０におけるＩＦ制御部１１４Ａ〜１１４ＣのＩＦＩＤと、バックアップ装置１２０Ａ、１２０ＢにおけるＩＦ制御部１２４Ａ、１２４ＢのＩＦＩＤと、は一致していないため、ＩＰ端末１３０Ａ〜１３０Ｆがバックアップ装置１２０Ａ、１２０Ｂに接続する際のＩＦ制御部１２４Ａ、１２４Ｂを特定する情報を各バックアップ装置１２０Ａ、１２０Ｂ毎に格納しておく。
【００３６】
また、図５に示すように、バックアップ装置テーブル１１１ｌは、拠点ＩＤ欄１１１ｍと、装置ＩＤ欄１１１ｎと、ＩＰアドレス欄１１１ｏと、を備えている。
【００３７】
拠点ＩＤ欄１１１ｍには、バックアップ装置１２０Ａ、１２０Ｂが接続される各拠点を一意に識別するための情報が格納される。
【００３８】
装置ＩＤ欄１１１ｎには、拠点ＩＤ欄１１１ｍで特定される拠点に接続されるバックアップ装置１２０Ａ、１２０Ｂを一意に識別するための情報が格納される。
【００３９】
ＩＰアドレス欄１１１ｏには、拠点ＩＤ欄１１１ｍで特定されるバックアップ装置１２０Ａ、１２０Ｂに設けられているリモート保守用ＩＦ制御部１２５に割り当てられているグローバルＩＰアドレスが格納される。
【００４０】
図２に戻り、制御部１１２は、主制御部１１２ａと、呼制御部１１２ｂと、保守制御部１１２ｃと、を備えている。
【００４１】
主制御部１１２ａは、ＩＰ−ＰＢＸ１１０全体の処理を制御する。
【００４２】
特に、本実施形態においては、通信ネットワーク１００に接続されているＩＰ端末１３０Ａ〜１３０Ｆから当該ＩＰ端末１３０Ａ〜１３０Ｆの内線番号を特定したログイン要求を受け付け、ログイン要求（ＲＥＧＩＳＴＥＲ）メッセージを受け付けたＩＰ端末１３０Ａ〜１３０Ｆに接続するためのＩＰアドレスを、ログイン要求の送信元ＩＰアドレスから特定して、変換情報記憶部１１１ａに記憶されている変換情報テーブル１１１ｃのＩＰアドレス欄１１１ｆに格納する。
【００４３】
呼制御部１１２ｂは、ＩＰ−ＰＢＸ１１０における呼制御を行う。
【００４４】
具体的には、通信ネットワーク１００に接続されているＩＰ端末１３０Ａ〜１３０Ｆから相手先の内線番号を特定した接続要求（ＩＮＶＩＴＥ）を後述するＩＦ制御部１１４Ａ〜１１４Ｃを介して受信した場合に、呼制御部１１２ｂは、変換情報記憶部１１１ａに記憶されている変換情報テーブル１１１ｃの内線番号欄１１１ｅから相手先の内線番号に対応する行を特定し、特定した行におけるＩＰアドレス欄１１１ｆからＩＰアドレスを取得して、当該行におけるＩＦＩＤ１１１ｇで特定されるＩＦ制御部１１４Ａ〜１１４ＣにＳＷ部１１３を介して接続要求を転送し、変換情報テーブル１１１ｃから取得したＩＰアドレスに送信する処理を制御する。
【００４５】
また、呼制御部１１２ｂは、接続要求の送信先であるＩＰ端末１３０Ａ〜１３０Ｆから応答（１８０Ｒｉｎｇｉｎｇ、２００ＯＫ）を受信した場合には、ＳＷ部１１３を介して、当該応答を接続要求の送信元であるＩＦ制御部１１４Ａ〜１１４Ｃに転送して、転送したＩＦ制御部１１４Ａ〜１１４Ｃから接続要求の送信元であるＩＰ端末１３０Ａ〜１３０Ｆに送信する処理を制御する。
【００４６】
そして、呼制御部１１２ｂは、接続要求の送信元であるＩＰ端末１３０Ａ〜１３０Ｆからの受信確認（ＡＣＫ）を接続要求の送信先であるＩＰ端末１３０Ａ〜１３０ＦにＳＷ部１１３を介して転送することで、ＩＰ端末１３０Ａ〜１３０Ｆ同士の通話を可能にする。
【００４７】
保守制御部１１２ｃは、後述するバックアップ装置１２０Ａ、１２０Ｂから変換情報の取得要求があった場合、または、ＩＦ制御部１１４Ａ、１１４Ｂ、１１４Ｃ若しくはリモート保守用ＩＦ制御部１１５でエラーを検知した場合に、変換情報記憶部１１１ａに記憶されている変換情報テーブル１１１ｃと、保守情報記憶部１１１ｂに記憶されている書き換えテーブル１１１ｉと、を各バックアップ装置１２０Ａ、１２０Ｂにリモート保守用ＩＦ制御部１１５又はＩＦ制御部１１４Ａ、１１４Ｂ、１１４Ｃを介して送信する処理を制御する。
【００４８】
なお、各バックアップ装置１２０Ａ、１２０Ｂでは、少なくとも拠点ＩＤ欄１１１ｄと、内線番号欄１１１ｅと、に格納されている情報が取得できればバックアップを行うことができるため、変換情報テーブル１１１ｃの全体を送る代わりに、少なくとも拠点ＩＤ欄１１１ｄと、内線番号欄１１１ｅと、に格納されている情報を送信するようにしてもよい。
【００４９】
ＳＷ部１１３は、呼制御部１１２ｂの指示に応じて、送信元のＩＦ制御部１１４Ａ、１１４Ｂ、１１４Ｃと、送信先のＩＦ制御部１１４Ａ、１１４Ｂ、１１４Ｃと、を接続するスイッチングを行う。
【００５０】
ＩＦ制御部１１４Ａ、１１４Ｂ、１１４Ｃは、ＬＡＮＩＦ部１１４ａと、障害監視部１１４ｂと、アドレス記憶部１１４ｃと、を備えている。
【００５１】
ＬＡＮＩＦ部１１４ａは、ＬＡＮを介して情報の送受信を行うためのインターフェースである。
【００５２】
障害監視部１１４ｂは、予め定められた時（定時毎、周期毎等）に、バックアップ装置１２０Ａ、１２０Ｂとの間の通信における障害の有無を検知するためライフサイクルチェック用のチェックパケットを生成して、当該チェックパケットを後述するアドレス記憶部１１４ｃに記憶されているバックアップ装置１２０Ａ、１２０ＢのＩＰアドレスにＬＡＮＩＦ部１１４ａを介して送信する制御を行う。
【００５３】
また、障害監視部１１４ｂは、チェックパケットへの応答が予め定められた時間内に受信されないときには、エラー通知を保守制御部１１２ｃに行う。
【００５４】
さらに、障害監視部１１４ｂは、ＬＡＮＩＦ部１１４ａを介して、バックアップ装置１２０Ａ、１２０Ｂから送信されてくるチェックパケットを受信した際に、応答パケットを生成して、ＬＡＮＩＦ部１１４ａを介して返信する処理も制御する。
【００５５】
アドレス記憶部１１４ｃには、障害監視部１１４ｂで生成されたチェックパケットを送信するバックアップ装置１２０Ａ、１２０ＢのＩＰアドレスが各々のバックアップ装置１２０Ａ、１２０Ｂ毎に記憶される。
【００５６】
なお、本実施形態においては、バックアップ装置１２０Ａ、１２０Ｂに設けられているＩＦ制御部１２４Ａ、１２４Ｂ及びリモート保守用ＩＦ制御部１２５に各々グローバルＩＰアドレスが割り当てられているため、アドレス記憶部１１４ｃには、バックアップ装置１２０Ａ、１２０Ｂに割り当てられている全てのグローバルＩＰアドレスを記憶してもよく、また、任意のグローバルＩＰアドレスを格納してもよい。なお、一つのバックアップ装置１２０Ａ、１２０Ｂに対して複数のグローバルＩＰアドレスを格納した場合には、優先的にチェックパケットを送信するアドレスを特定しておいてもよく、また、チェックパケットを送信する順番を特定しておいてもよい。
【００５７】
また、バックアップ装置１２０Ａ、１２０ＢのＩＰアドレス及びポート番号については、予めＩＰ−ＰＢＸ１１０のオペレータが周知の入力手段を介して格納しておいてもよく、また、バックアップ装置１２０Ａ、１２０Ｂより送信されてくるチェックパケットの送信元から取得するようにしてもよい。
【００５８】
リモート保守用ＩＦ制御部１１５は、ＬＡＮＩＦ部１１５ａと、障害監視部１１５ｂと、アドレス記憶部１１５ｃと、を備えており、これらの構成については、ＩＦ制御部１１４Ａ、１１４Ｂ、１１４Ｃと同様にされているため、説明を省略する。
【００５９】
以上のように構成されるＩＰ−ＰＢＸ１１０については、図９（コンピュータ１８０の概略図）に示すようなコンピュータ１８０により実現することが可能である。
【００６０】
コンピュータ１８０は、ＣＰＵ（Central Processing Unit）１８１と、主メモリ１８２と、外部記憶装置１８３と、スロット１８４と、これらを連結するバス１８５と、スロット１８４に連結されるＩＦ装置１８６と、を備えている。
【００６１】
そして、制御部１１２及びＳＷ部１１３については、外部記憶装置１８３に記憶されている所定のプログラムを主メモリ１８２に読み出し、ＣＰＵ１８１で実行することにより実現可能であり、記憶部１１１は、外部記憶装置１８３により実現可能であり、ＩＦ制御部１１４Ａ〜１１４Ｃ及びリモート保守用ＩＦ制御部１１５は、ＩＦ装置１８６をスロット１８４に連結することにより実現可能である。
【００６２】
ここで、ＩＦ装置１８６については、ＣＰＵ１８６ａと、メモリ１８６ｂと、スロット用ＩＦ１８６ｃと、ＮＩＣ１８６ｄと、を備えており、ＬＡＮＩＦ部１１４ａ、１１５ａはＮＩＣ１８６ｄにより実現可能であり、障害監視部１１４ｂ、１１５ｂはメモリ１８６ｂに記憶されている所定のプログラムをＣＰＵ１８６ａで実行することにより実現可能である。なお、ＩＦ装置１８６は、スロット用ＩＦ１８６ｃを介してスロット１８４に取り付けられる。
【００６３】
また、上述したＩＰ−ＰＢＸ１１０については、コンピュータ１８０がプログラムを実行することにより実現されるものでなくてもよい。例えば、ＡＳＩＣ（Application Specific Integrated Circuit）やＦＰＧＡ（Field Programmable Gate Array）等の集積ロジックＩＣによりハード的に実行されるものであってもよいし、あるいは、ＤＳＰ（Digital Signal Processor）等の計算機によりソフトウェア的に実行されるものであってもよい。
【００６４】
図６は、バックアップ装置１２０Ａ、１２０Ｂの概略図である。
【００６５】
図示するように、バックアップ装置１２０Ａ、１２０Ｂは、記憶部１２１と、制御部１２２と、スイッチ部（以下、ＳＷ部という）１２３と、ＩＦ制御部１２４Ａ、１２４Ｂと、リモート保守用ＩＦ制御部１２５と、を備えている。
【００６６】
ここで、本実施形態におけるバックアップ装置１２０Ａ、１２０Ｂは、当該バックアップ装置１２０Ａ、１２０Ｂが接続されている拠点からＩＰ−ＰＢＸ１１０への通信に障害が生じた場合に、当該拠点内におけるＩＰ端末１３０Ａ〜１３０Ｆ間の通信を可能にするために使用されるものである。
【００６７】
記憶部１２１は、変換情報記憶部１２１ａを備えている。
【００６８】
変換情報記憶部１２１ａには、ＩＰ−ＰＢＸ１１０から送信されてきた変換情報テーブル１１１ｃ（図３参照）が変換情報テーブル１２１ｂとして記憶される。
【００６９】
ここで、本実施形態においては、ＩＰ−ＰＢＸ１１０から送信されてきた変換情報テーブル１１１ｃを変換情報記憶部１２１ａに記憶するようにしているため、図７（変換情報テーブル１２１ｂの概略図）に示すように、変換情報テーブル１２１ｂは、ＩＰ−ＰＢＸ１１０における変換情報テーブル１１１ｃと同様に、拠点ＩＤ欄１２１ｃと、内線番号欄１２１ｄと、ＩＰアドレス欄１２１ｅと、ＩＦＩＤ欄１２１ｆと、を備えている。
【００７０】
ここで、拠点ＩＤ欄１２１ｃ及び内線番号欄１２１ｄについては、ＩＰ−ＰＢＸ１１０から送信されてきた変換情報テーブル１１１ｃに格納されている情報をそのまま使用するため、説明を省略する。
【００７１】
ＩＰアドレス欄１２１ｅには、内線番号欄１１１ｅに格納される内線番号により特定されるＩＰ端末１３０Ａ〜１３０Ｆに接続するためのＩＰアドレスが格納される。
【００７２】
そして、本実施形態においては、バックアップ装置１２０Ａ、１２０Ｂが接続されている拠点からＩＰ−ＰＢＸ１１０への通信に障害が生じた場合に、当該拠点内におけるＩＰ端末１３０Ａ〜１３０Ｆからのログイン要求（ＲＥＧＩＳＴＥＲ）を受け付け、当該ログイン要求で使用された送信元のグローバルＩＰアドレスに置き換えて本欄１２１ｅに格納する。
【００７３】
ＩＦＩＤ欄１２１ｆには、内線番号欄１２１ｄに格納される内線番号により特定されるＩＰ端末１３０Ａ〜１３０Ｆがバックアップ装置１２０Ａ、１２０Ｂに接続する際に使用するＩＦ制御部１２４Ａ、１２４Ｂを特定するための情報が格納される。
【００７４】
ここで、本実施形態においては、ＩＰ−ＰＢＸ１１０から送信されてきた書き換えテーブル１１１ｉに従って、当該書き換えテーブル１１１ｉの内線番号欄１１１ｊに格納されている内線番号に対応する内線番号が内線番号欄１２１ｄに格納されている行のＩＦＩＤ欄１２１ｇに、書き換えテーブル１１１ｉのＩＦＩＤ欄１１１ｋに格納されているＩＦＩＤが格納される。
【００７５】
図６に戻り、制御部１２２は、主制御部１２２ａと、呼制御部１２２ｂと、バックアップ制御部（以下、ＢＵ制御部という）１２２ｃと、を備えている。
【００７６】
主制御部１２２ａは、バックアップ装置１２０Ａ、１２０Ｂ全体の処理を制御する。
【００７７】
特に、本実施形態においては、ＩＰ−ＰＢＸ１１０との間の通信に障害が生じた場合に、バックアップ装置１２０Ａ、１２０Ｂが接続されているＬＡＮに接続されているＩＰ端末１３０Ａ〜１３０Ｆから当該ＩＰ端末１３０Ａ〜１３０Ｆの内線番号を特定したログイン要求を受け付け、ログイン要求を受け付けたＩＰ端末１３０Ａ〜１３０ＦのグローバルＩＰアドレスを、ログイン要求に含まれている送信元ＩＰアドレスから特定して、変換情報記憶部１２１ａに記憶されている変換情報テーブル１２１ｂのＩＰアドレス欄１２１ｅにいわゆる上書きして格納する。
【００７８】
なお、本実施形態におけるバックアップ装置１２０Ａ、１２０Ｂは、バックアップ装置１２０Ａ、１２０Ｂが接続されているＬＡＮに接続されているＩＰ端末１３０Ａ〜１３０Ｆ間の呼制御しか行わないため、主制御部１２２ａは、変換情報記憶部１２１ａに記憶されている変換情報テーブル１２１ｂのソート処理を行い、バックアップ装置１２０Ａ、１２０Ｂが属する拠点に対応する行を検索の行いやすい位置、例えば、変換情報テーブル１２１ｂの先頭位置から並び替えることが望ましい。
【００７９】
呼制御部１２２ｂは、ＩＰ−ＰＢＸ１１０との間の通信に障害が生じた場合に、バックアップ装置１２０Ａ、１２０Ｂが接続されているＬＡＮに接続されているＩＰ端末１３０Ａ〜１３０Ｆ間の呼制御を行う。
【００８０】
具体的には、バックアップ装置１２０Ａ、１２０Ｂが接続されているＬＡＮに接続されているＩＰ端末１３０Ａ〜１３０Ｆから相手先の内線番号を特定した接続要求（ＩＮＶＩＴＥ）を後述するＩＦ制御部１２４Ａ、１２４Ｂを介して受信した場合に、呼制御部１２２ｂは、変換情報記憶部１２１ａに記憶されている変換情報テーブル１２１ｂの内線番号欄１２１ｄから相手先の内線番号に対応する行を特定し、特定した行におけるＩＰアドレス欄１２１ｅからグローバルＩＰアドレスを取得して、当該行におけるＩＦＩＤ１２１ｆで特定されるＩＦ制御部１２４Ａ、１２４ＢにＳＷ部１２３を介して接続要求（ＩＮＶＩＴＥ）を転送し、変換情報テーブル１２１ｂから取得したグローバルＩＰアドレスに送信する処理を制御する。
【００８１】
また、呼制御部１２２ｂは、接続要求（ＩＮＶＩＴＥ）の送信先であるＩＰ端末１３０Ａ〜１３０Ｆから応答（１８０Ｒｉｎｇｉｎｇ、２００ＯＫ）を受信した場合には、ＳＷ部１２３を介して、当該応答を接続要求（ＩＮＶＩＴＥ）の送信元であるＩＦ制御部１２４Ａ、１２４Ｂに転送して、転送したＩＦ制御部１２４Ａ、１２４Ｂから接続要求（ＩＮＶＩＴＥ）の送信元であるＩＰ端末１３０Ａ〜１３０Ｆに送信する処理を制御する。
【００８２】
そして、呼制御部１２２ｂは、接続要求（ＩＮＶＩＴＥ）の送信元であるＩＰ端末１３０Ａ〜１３０ＦからのＡＣＫを接続要求（ＩＮＶＩＴＥ）の送信先であるＩＰ端末１３０Ａ〜１３０ＦにＳＷ部１２３を介して転送することで、ＩＰ端末１３０Ａ〜１３０Ｆ同士の通話を可能にする。
【００８３】
ＢＵ制御部１２２ｃは、予め定められた時（定時毎、周期毎等）に、リモート保守用ＩＦ制御部１２５を介して、ＩＰ−ＰＢＸ１１０に変換情報の取得要求を送信して、その応答として、ＩＰ−ＰＢＸ１１０から変換情報テーブル１１１ｃが送信されてきた場合に、受信した変換情報テーブル１１１ｃを変換情報記憶部１２１ａに記憶する処理を制御する。
【００８４】
また、ＢＵ制御部１２２ｃは、ＩＦ制御部１２４Ａ、１２４Ｂでエラーを検知したときに、呼制御部１２２ｂに処理を開始するための指令を出す。なお、当該指令を受けた呼制御部１２２ｂでは、呼制御を開始する。
【００８５】
ＳＷ部１２３は、呼制御部１２２ｂの指示により、送信元のＩＦ制御部１２４Ａ、１２４Ｂと、送信先のＩＦ制御部１２４Ａ、１２４Ｂと、を接続するスイッチングを行う。
【００８６】
ＩＦ制御部１２４Ａ、１２４Ｂは、ＬＡＮＩＦ部１２４ａと、障害監視部１２４ｂと、アドレス記憶部１２４ｃと、を備えている。
【００８７】
ここで、本実施形態においては、各バックアップ装置１２０Ａ、１２０Ｂが接続されている拠点の規模、即ち、当該拠点に接続されるＩＰ端末１３０Ａ〜１３０Ｆを接続（収容）する数に応じたＩＦ制御部１２４Ａ、１２４Ｂを準備すれば足りるため、ＩＦ制御部１２４Ａ、１２４Ｂの数は、ＩＰ−ＰＢＸ１１０におけるＩＦ制御部１１４Ａ〜１１４Ｃの数よりも少なくてよく、特に、接続するＩＰ端末１３０Ａ〜１３０Ｆの数が比較的少ない拠点を多数設ける場合に、コストや保守の手間を大幅に削減することができる。
【００８８】
ＬＡＮＩＦ部１２４ａは、ＬＡＮを介して情報の送受信を行うためのインターフェースである。
【００８９】
障害監視部１２４ｂは、予め定められた時（定時毎、周期毎等）に、ＩＰ−ＰＢＸ１１０との間における障害の有無を検知するためライフサイクルチェック用のチェックパケットを生成して、ＬＡＮＩＦ部１２４ａを介して、後述するアドレス記憶部１２４ｃに記憶されているＩＰ−ＰＢＸ１１０のＩＰアドレスに当該チェックパケットを送信する処理を制御する。
【００９０】
また、障害監視部１２４ｂは、チェックパケットへの応答が予め定められた時間内に受信されないときには、エラー通知をＢＵ制御部１２２ｃに行う。
【００９１】
さらに、障害監視部１２４ｂは、ＬＡＮＩＦ部１２４ａを介して、ＩＰ−ＰＢＸ１１０から送信されてくるチェックパケットを受信した際に、応答パケットを生成して、ＬＡＮＩＦ部１２４ａを介して返信する処理も制御する。
【００９２】
アドレス記憶部１２４ｃには、障害監視部１２４ｂで生成されたチェックパケットを送信するＩＰ−ＰＢＸ１１０に送信するためのＩＰアドレスが記憶される。
【００９３】
なお、本実施形態においては、ＩＰ−ＰＢＸ１１０に設けられているＩＦ制御部１１４Ａ〜１１４Ｃ及びリモート保守用ＩＦ制御部１１５に各々グローバルＩＰアドレスが割り当てられているため、アドレス記憶部１２４ｃには、ＩＰ−ＰＢＸ１１０に割り当てられている全てのグローバルＩＰアドレスを記憶してもよく、また、任意のグローバルＩＰアドレスを格納してもよい。なお、複数のグローバルＩＰアドレスを格納した場合には、優先的にチェックパケットを送信するアドレスを特定しておいてもよく、また、チェックパケットを送信する順番を特定しておいてもよい。
【００９４】
ここで、ＩＰ−ＰＢＸ１１０に送信するためのＩＰアドレスについては、予めバックアップ装置１２０Ａ、１２０Ｂのオペレータが周知の入力手段を介して格納しておいてもよく、また、ＩＰ−ＰＢＸ１１０より送信されてくるチェックパケットから取得するようにしてもよい。
【００９５】
リモート保守用ＩＦ制御部１２５は、ＬＡＮＩＦ部１２５ａと、障害監視部１２５ｂと、アドレス記憶部１２５ｃと、を備えており、ＩＦ制御部１２４Ａ、１２４Ｂと同様に構成されているため、説明を省略する。
【００９６】
以上のように構成されるバックアップ装置１２０Ａ、１２０Ｂについては、図９に示すようなコンピュータ１８０により実現することが可能である。
【００９７】
例えば、制御部１２２及びＳＷ部１２３については、外部記憶装置１８３に記憶されている所定のプログラムを主メモリ１８２に読み出し、ＣＰＵ１８１で実行することにより実現可能であり、記憶部１２１は、外部記憶装置１８３により実現可能であり、ＩＦ制御部１２４Ａ、１２４Ｂ及びリモート保守用ＩＦ制御部１２５は、ＩＦ装置１８６をスロット１８４に連結することにより実現可能である。
【００９８】
ここで、ＩＦ装置１８６については、ＣＰＵ１８６ａと、メモリ１８６ｂと、スロット用ＩＦ１８６ｃと、ＮＩＣ１８６ｄと、を備えており、ＬＡＮＩＦ部１２４ａ、１２５ａはＮＩＣ１８６ｄにより実現可能であり、障害監視部１２４ｂ、１２５ｂはメモリ１８６ｂに記憶されている所定のプログラムをＣＰＵ１８６ａで実行することにより実現可能である。なお、ＩＦ装置１８６は、スロット用ＩＦ１８６ｃを介してスロット１８４に取り付けられる。
【００９９】
また、上述したバックアップ装置１２０Ａ、１２０Ｂについては、コンピュータ１８０がプログラムを実行することにより実現されるものでなくてもよい。例えば、ＡＳＩＣ（Application Specific Integrated Circuit）やＦＰＧＡ（Field Programmable Gate Array）等の集積ロジックＩＣによりハード的に実行されるものであってもよいし、あるいは、ＤＳＰ（Digital Signal Processor）等の計算機によりソフトウェア的に実行されるものであってもよい。
【０１００】
図８は、ＩＰ端末１３０Ａ〜１３０Ｆの概略図である。
【０１０１】
図示するように、ＩＰ端末１３０Ａ〜１３０Ｆは、音声処理部１３１と、ＲＴＰ（Real Time Protocol）処理部１３２と、記憶部１３３と、呼制御部１３４と、ダイヤル制御部１３５と、障害監視部１３６と、ＬＡＮＩＦ部１３７と、ハンドセット１３８と、ダイヤル１３９と、を備えている。
【０１０２】
音声処理部１３１は、ハンドセット１３８のマイク（図示せず）を介して入力された音声に対してサンプリング及び符号化を行い、音声信号としてＲＴＰ処理部１３２に送る。
【０１０３】
また、音声処理部１３１は、ＲＴＰ処理部１３２から送られてきた音声信号を復号化して、ハンドセット１３８のスピーカ（図示せず）に送る。
【０１０４】
ＲＴＰ処理部１３２は、ＲＴＰに従った処理を行う。
【０１０５】
例えば、ＲＴＰ処理部１３２は、音声処理部１３１から送られてきた音声信号をＲＴＰパケット化し、このＲＴＰパケットを、呼制御部１３４より通知されたＩＰアドレスを宛先としてＬＡＮＩＦ部１３７へ送る。
【０１０６】
また、ＲＴＰ処理部１３２は、ＬＡＮインターフェース部１３７より送られたＲＴＰパケットから音声信号を復元し、これを音声処理部１３１に送る。
【０１０７】
記憶部１３３には、第一の送信先としてＩＰ−ＰＢＸ１１０に送信するためのグローバルＩＰアドレス（自身であるＩＰ端末１３０Ａ〜１３０Ｆが接続を許可されているＩＦ制御部１１４Ａ〜１１４ＣのグローバルＩＰアドレス）が記憶されており、第二の送信先として自身であるＩＰ端末１３０Ａ〜１３０Ｆが接続されている拠点に設置されているバックアップ装置１２０Ａ、１２０ＢのグローバルＩＰアドレス（自身であるＩＰ端末１３０Ａ〜１３０Ｆが接続を許可されているＩＦ制御部１２４Ａ、１２４ＢのグローバルＩＰアドレス）が記憶される。
【０１０８】
呼制御部１３４は、呼制御を行う。
【０１０９】
例えば、呼制御部１３４は、ＩＰ端末１３０Ａ〜１３０Ｆのユーザからダイヤル１３９を介して送信先の内線番号が入力された場合には、入力された送信先の内線番号をダイヤル制御部１３５から受け取り、受け取った内線番号を格納した接続要求（ＩＮＶＩＴＥ）メッセージを生成し、ＬＡＮＩＦ部１３７を介してＩＰ−ＰＢＸ１１０（ＩＰ−ＰＢＸ１１０との間の通信に障害が生じた場合にはバックアップ装置１２０Ａ、１２０Ｂ）に送信する。
【０１１０】
また、呼制御部１３４は、ＩＰ−ＰＢＸ１１０（ＩＰ−ＰＢＸ１１０との間の通信に障害が生じた場合にはバックアップ装置１２０Ａ、１２０Ｂ）から、ＬＡＮＩＦ部１３７を介して、リクエストメッセージを受け取った場合には、ＩＰ−ＰＢＸ１１０（ＩＰ−ＰＢＸ１１０との間の通信に障害が生じた場合にはバックアップ装置１２０Ａ、１２０Ｂ）に対して、レスポンスメッセージを送信する。
【０１１１】
さらに、呼制御部１３４は、自身であるＩＰ端末１３０Ａ〜１３０Ｆの内線番号を格納したログイン（ＲＥＧＩＳＴＥＲ）メッセージを、ＬＡＮＩＦ部１３７を介して、ＩＰ−ＰＢＸ１１０（ＩＰ−ＰＢＸ１１０との間の通信に障害が生じた場合にはバックアップ装置１２０Ａ、１２０Ｂ）に対して送信する。
【０１１２】
ダイヤル制御部１３５は、ダイヤル１３９から入力される信号の制御を行う。
【０１１３】
障害監視部１３６は、予め定められた時（定時毎、周期毎等）に、ＩＰ−ＰＢＸ１１０との間における障害の有無を検知するためライフサイクルチェック用のチェックパケットを生成して、ＬＡＮＩＦ部１３７を介して、ＩＰ−ＰＢＸ１１０のグローバルＩＰアドレスに当該チェックパケットを送信する制御を行う。
【０１１４】
そして、障害監視部１３６は、チェックパケットへの応答が予め定められた時間内に受信されないときには、エラー通知を呼制御部１３４に行い、当該エラー通知を受けた呼制御部１３４は、ログイン（ＲＥＧＩＳＴＥＲ）メッセージを、ＬＡＮＩＦ部１３７を介して、バックアップ装置１２０Ａ、１２０Ｂに送信する。
【０１１５】
ログイン制御部１３６は、登録処理を行う。
【０１１６】
例えば、ログイン制御部１３６は、自身であるＩＰ端末１３０Ａ〜１３０Ｆの内線番号を格納したログイン（ＲＥＧＩＳＴＥＲ）メッセージを、ＬＡＮＩＦ部１３７を介して、ＩＰ−ＰＢＸ１１０（ＩＰ−ＰＢＸ１１０との間の通信に障害が生じた場合にはバックアップ装置１２０Ａ、１２０Ｂ）に対して送信する。
【０１１７】
ＬＡＮＩＦ部１３７は、ＬＡＮを介して情報の送受信を行うためのインターフェースである。
【０１１８】
図１０は、以上のように構成される通信システム１００において、通信に障害が発生した際における処理を示すシーケンス図である。
【０１１９】
ここで、図１０は、図１の拠点Ｂにおける処理を例にして説明するが、他の拠点についても同様な処理が行われる。
【０１２０】
まず、バックアップ装置１２０Ａの障害監視部１２４ｂは、ＬＡＮＩＦ部１２４ａを介して、ＩＰ−ＰＢＸ１１０に対してチェックパケットを送信する（Ｓ１０）。
【０１２１】
チェックパケットを受信したＩＰ−ＰＢＸ１１０では、障害監視部１１４ｂが応答パケットを生成して、ＬＡＮＩＦ部１１４ａを介してバックアップ装置１２０Ａに返信する（Ｓ１１）。
【０１２２】
バックアップ装置１２０Ａは、予め定められた時間内にＩＰ−ＰＢＸ１１０からの応答パケットを受信した際には、障害監視部１１４ｂはそのまま待機する。
【０１２３】
そして、バックアップ装置１２０ＡのＢＵ制御部１２２ｃは、予め定められた時間が経過した場合には、リモート保守用ＩＦ制御部１２５を介して、ＩＰ−ＰＢＸ１１０に対して、変換情報の取得要求を送信する（Ｓ１２）。
【０１２４】
変換情報の取得要求を受信したＩＰ−ＰＢＸ１１０では、保守制御部１１２ｃが、変換情報記憶部１１１ａに記憶されている変換情報テーブル１１１ｃと、保守情報記憶部１１１ｂに記憶されている書き換えテーブル１１１ｉと、を取得し、リモート保守用ＩＦ制御部１１５を介してバックアップ装置１２０Ａに返信する（Ｓ１３）。
【０１２５】
変換情報を受信したバックアップ装置１２０Ａでは、変換情報テーブル１１１ｃのＩＦＩＤ欄１１１ｈに格納されているデータを、受信した書き換えテーブル１１１ｉに格納されているデータに書き換えて変換情報テーブル１２１ｂとして、変換情報記憶部１２１ａに記憶する（Ｓ１４）。
【０１２６】
そして、予め定められた期間が経過することで、バックアップ装置１２０Ａの障害監視部１２４ｂは、ＬＡＮＩＦ部１２４ａを介して、ＩＰ−ＰＢＸ１１０に対して再びチェックパケットを送信する（Ｓ１５）。
【０１２７】
ここで、この時、ＷＡＮ１６０において障害が発生し、ＩＰ−ＰＢＸ１１０から予め定められた期間内に応答パケットを受信しなかった場合には、バックアップ装置１２０Ａの障害監視部１２４ｂは、エラー通知をＢＵ制御部１２２ｃに行い、ＢＵ制御部１２２ｃは、呼制御部１２２ｂに処理を開始する指令を出し、呼制御部１２２ｂは処理を開始する（Ｓ１６）。
【０１２８】
また、ＩＰ端末１３０Ｃの障害監視部１３６も、定期的にＩＰ−ＰＢＸ１１０にチェックパケットを送信しており（Ｓ１７）、ＷＡＮ１６０に障害が生じている場合には、応答パケットを所定の期間内に受信することができないため、呼制御部１３４を介して、内線番号を特定して、バックアップ装置１２０Ａにログイン要求（ＲＥＧＩＳＴＥＲ）メッセージを送信する（Ｓ１８）。
【０１２９】
ログイン要求（ＲＥＧＩＳＴＥＲ）メッセージを受信したバックアップ装置１２０Ａでは、当該メッセージで特定された内線番号が格納されている変換情報テーブル１２１ｂの行におけるＩＰアドレス欄１２１ｅに、当該メッセージの送信元のＩＰアドレスを書き換えて格納する（Ｓ１９）。
【０１３０】
さらに、ＩＰ端末１３０Ｄの障害監視部１３６も、定期的にＩＰ−ＰＢＸ１１０にチェックパケットを送信しており（Ｓ２０）、ＷＡＮ１６０に障害が生じている場合には、応答パケットを所定の期間内に受信することができないため、呼制御部１３４を介して、内線番号を特定して、バックアップ装置１２０Ａにログイン要求（ＲＥＧＩＳＴＥＲ）メッセージを送信する（Ｓ２１）。
【０１３１】
ログイン要求（ＲＥＧＩＳＴＥＲ）メッセージを受信したバックアップ装置１２０Ａでは、当該メッセージで特定された内線番号が格納されている変換情報テーブル１２１ｂの行におけるＩＰアドレス欄１２１ｅ及びポート番号欄１２１ｆに、当該メッセージの送信元のＩＰアドレスを書き換えて格納する（Ｓ２２）。
【０１３２】
以上のような処理を行うことにより、バックアップ装置１２０Ａは、自身が接続されている拠点内における呼制御を行うことができるようになる。
【０１３３】
例えば、ここでは、ＩＰ端末１３０ＣからＩＰ端末１３０Ｄに内線番号により電話をかける場合を例に説明すると、まず、ＩＰ端末１３０Ｃのオペレータは、ダイヤル１３９を介して送信先であるＩＰ端末１３０Ｄの内線番号を入力する。このような入力を受け付けたＩＰ端末１３０Ｃでは、呼制御部１３４が、受け取った内線番号を格納したＩＮＶＩＴＥメッセージを生成し、ＬＡＮＩＦ部１３７を介してバックアップ装置１２０Ａに送信する（Ｓ２３）。
【０１３４】
そして、ＩＮＶＩＴＥメッセージを受信したバックアップ装置１２０Ａでは、受信したＩＮＶＩＴＥメッセージから内線番号を特定し、特定した内線番号に対応する内線番号が格納されている変換情報テーブル１２１ｂの行を特定し、特定した行におけるＩＰアドレス欄１２１ｅからＩＰアドレスを取得して、当該行におけるＩＦＩＤ１２１ｆで特定されるＩＦ制御部１２４Ａ、１２４ＢにＳＷ部１２３を介してＩＮＶＩＴＥメッセージを転送し（Ｓ２４）、変換情報テーブル１１１ｃから特定したＩＰアドレスを宛先として送信する（Ｓ２５）。
【０１３５】
このようなＩＮＶＩＴＥメッセージを受信したＩＰ端末１３０Ｄでは、呼制御部１３４が呼び出し応答（１８０Ｒｉｎｇｉｎｇ）メッセージをバックアップ装置１２０Ａに返信し（Ｓ２６）、バックアップ装置１２０Ａでは、ＳＷ部１２３を介して、ＩＰ端末１３０Ｃに当該呼び出し応答（１８０Ｒｉｎｇｉｎｇ）メッセージを転送する（Ｓ２７）。
【０１３６】
そして、ＩＰ端末１３０Ｄのオペレータが、所定の処理を行うことで電話に応答した場合には、呼制御部１３４が成功応答（２００ＯＫ）メッセージをバックアップ装置１２０Ａに返信し（Ｓ２８）、バックアップ装置１２０Ａでは、ＳＷ部１２３を介して、ＩＰ端末１３０Ｃに当該成功応答（２００ＯＫ）メッセージを転送する（Ｓ２９）。
【０１３７】
そして、ＩＰ端末１３０Ｃにおいて、成功応答（２００ＯＫ）メッセージに対して受信確認（ＡＣＫ）メッセージをバックアップ装置１２０Ａに返信し（Ｓ３０）、バックアップ装置１２０Ａでは、ＳＷ部１２３を介して、ＩＰ端末１３０Ｄに当該受信確認（ＡＣＫ）メッセージを転送することで（Ｓ３１）、通話が開始される（Ｓ３２）。
【０１３８】
以上のように、本実施形態においては、拠点の規模に応じて、ＩＦ制御部１１４Ａ〜１１４Ｃの数を減らすことができるため、バックアップ装置１２０Ａ、１２０Ｂのコスト負担及び保守負担を減らすことができる。
【０１３９】
以上に記載した実施形態においては、拠点の数を拠点Ａ〜Ｃの三つにしているが、このような数に限定されるわけではなく、任意の数の拠点を設けることが可能である。また、各拠点に接続されるＩＰ端末１３０Ａ〜１３０Ｆの数についても任意の数を接続することが可能である。
【０１４０】
また、以上に記載した実施形態においては、ＳＩＰ（Session Initiation Protocol）による呼制御を行っているが、このような態様に限定されず他のプロトコルを用いることも可能である。
【０１４１】
さらに、以上に記載した実施形態においては、ＩＰ−ＰＢＸ１１０における呼制御部１１２ｂが、変換情報記憶部１１１ａに記憶されている変換情報テーブル１１１ｃで、内線番号とＩＰアドレスの変換を行っているが、このような態様に限定されない。
【０１４２】
例えば、変換情報記憶部１１１ａに、図１１（変換テーブル１１１ｃ’の概略図）に示すような変換テーブル１１１ｃ’を記憶しておき、呼制御部１１２ｂでは、内線番号からＩＦＩＤを特定して、特定したＩＦＩＤで識別されるＩＦ制御部１１４ＡにＳＷ部１１３を介して内線番号とメッセージを転送し、転送されたＩＦ制御部１１４Ａ〜１１４Ｃにおいて内線番号からＩＰアドレスの変換を行うようにすることも可能である。
【０１４３】
このような場合には、ＩＦ制御部１１４Ａ〜１１４Ｃにも呼制御部を設けておき、アドレス記憶部１１４ｃに、例えば、図１２（変換テーブル１１４ｄの概略図）に示すような変換テーブル１１４ｄを記憶しておけばよい。なお、図１２に示すような変換テーブル１１４ｄは、ＩＰ端末１３０Ａ〜１３０Ｆからのログイン要求を受信した際にＩＰアドレスを受信して格納するようにすればよい。
【０１４４】
また、例えば、図１３（通信システム１００の変形例を示す概略図）に示すように、各拠点内ではプライベートＩＰアドレスを用い、ルータ１５０を介してＷＡＮに接続するようにしている場合には、各装置で使用するプライベートＩＰアドレス及びポート番号を固定し、ルータにおいてもＷＡＮ側におけるグローバルＩＰアドレス及びポート番号と、ＬＡＮ側のプライベートＩＰアドレス及びポート番号と、を固定的に変換するいわゆる静的ＮＡＴ結合の技術を使用すればよい。
【０１４５】
なお、この場合には、各装置に記憶するアドレス情報についてもＩＰアドレスとポート番号とをセットにして記憶しておけばよい。
【０１４６】
また、以上に記載した実施形態においては、書き換えテーブル１１１ｉをＩＰ−ＰＢＸ１１０から受信しているが、このような態様に特定されず、自装置で使用する書き換えテーブル１１１ｉをバックアップ装置１２０Ａ、１２０Ｂの記憶部１１１に予め記憶しておいてもよい。
【図面の簡単な説明】
【０１４７】
【図１】通信システムの概略図。
【図２】ＩＰ−ＰＢＸの概略図。
【図３】変換情報テーブルの概略図。
【図４】書き換えテーブルの概略図。
【図５】バックアップ装置テーブルの概略図。
【図６】バックアップ装置の概略図。
【図７】変換情報テーブルの概略図。
【図８】ＩＰ端末の概略図。
【図９】コンピュータの概略図。
【図１０】通信システムにおいて通信に障害が発生した際における処理を示すシーケンス図。
【図１１】変換テーブルの概略図。
【図１２】変換テーブルの概略図。
【図１３】通信システムの変形例を示す概略図。
【符号の説明】
【０１４８】
１００  通信システム
１１０  ＩＰ−ＰＢＸ
１１１  記憶部
１１２  制御部
１１３  ＳＷ部
１１４  ＩＦ制御部
１１５  リモート保守用ＩＦ制御部
１２０  バックアップ装置
１２１  記憶部
１２２  制御部
１２３  ＳＷ部
１２４  ＩＦ制御部
１２５  リモート保守用ＩＦ制御部
１３０  ＩＰ端末
１４０  ハブ
１６０  ＷＡＮ
【図１】
2008136017.tif 000003
【図２】
2008136017.tif 000004
【図３】
2008136017.tif 000005
【図４】
2008136017.tif 000006
【図５】
2008136017.tif 000007
【図６】
2008136017.tif 000008
【図７】
2008136017.tif 000009
【図８】
2008136017.tif 000010
【図９】
2008136017.tif 000011
【図１０】
2008136017.tif 000012
【図１１】
2008136017.tif 000013
【図１２】
2008136017.tif 000014
【図１３】
2008136017.tif 000015